(57)【特許請求の範囲】
【請求項１】
小セルの発見方法であって、
マクロセルの基地局は、非アクティブ状態にある小セルが特定の信号を送信するようにトリガし、
前記マクロセルを介して前記特定の信号の配置情報をＵＥに通知することで、前記ＵＥが小セルにより送信された前記特定の信号を受信するようにトリガすることと、
前記ＵＥは、受信された前記特定の信号により対応する小セルを識別して確定し、確定された小セルの情報を前記基地局に報告することと、を含み、
ここで、
前記マクロセルの基地局は、少なくとも１つのＵＥが小セルを配置する必要があると確定した場合のみにおいて、小セルをアクティブにして、前記特定の信号の送信をトリガし、
非アクティブ状態にある小セルは、トリガされる前に前記特定の信号を送信せず、トリガされた後いつも前記特定の信号を送信し、
前記ＵＥは前記基地局によりトリガされる前に、前記特定の信号を受信せず、
前記基地局は、前記ＵＥが前記特定の信号を受信するようにトリガした後、当該方法はさらに、
前記基地局は、前記ＵＥが受信された前記特定の信号により発見し確定して報告する小セルの情報を受信することと、
前記基地局は、前記ＵＥにより確定される小セルから一部または全部の小セルを選んで、前記ＵＥのためにサービングしようとする小セルとして配置することと、
前記基地局は、前記サービングしようとする小セルが測定信号を前記ＵＥに送信するようにトリガし、かつ前記基地局は、前記ＵＥにより報告された、前記サービングしようとする小セルに対する測定結果を受信し、前記測定結果により前記サービングしようとする小セルから前記ＵＥのためにサービングする小セルを選んで、前記ＵＥのためにサービングする小セルとしてアクティブにすること
を含み、
前記特定の信号は、小セルを識別するためであり、かつ前記特定の信号は、
発見シグナリング、
チャネル状態情報基準信号（ＣＳＩ−ＲＳ）、
プライマリ同期信号（ＰＳＳ）及び/またはセカンダリ同期信号（ＳＳＳ）、
セル基準信号（ＣＲＳ）のうちの１つであり、
前記発見シグナリングは、小セルを識別するための情報であり、ＰＳＳ／ＳＳＳ／ＣＲＳまたはＣＳＩ−ＲＳを発見シグナリングとする
ことを特徴とする小セルの発見方法。
【請求項２】
前記ＵＥに前記特定の信号の配置情報を通知し、当該特定の信号がＣＳＩ−ＲＳを含む場合、前記特定の信号の配置情報はＣＳＩ−ＲＳの配置関連情報及びＣＳＩ−ＲＳの物理層シーケンスの数値を含むことを特徴とする
請求項１に記載の小セルの発見方法。
【請求項３】
前記基地局は、専用無線リソース制御（ＲＲＣ）シグナリングまたは放送メッセージを送信することにより、前記ＵＥが前記特定の信号を受信するようにトリガする
ことを特徴とする請求項１に記載の小セルの発見方法。
【請求項４】
前記ＵＥが確定して基地局に報告する小セルは、チャネル品質が要求を満たす小セルである
ことを特徴とする請求項１に記載の小セルの発見方法。
【請求項５】
前記ＵＥは、受信された前記特定の信号により前記特定の信号に対応する小セルを識別して確定し、かつ確定された小セルにおけるチャネル品質が所定の要求を満たす小セルを前記基地局に報告する
ことを特徴とする請求項１に記載の小セルの発見方法。
【請求項６】
前記マクロセルの基地局は、前記ＵＥが前記特定の信号を受信するようにトリガする前に、
前記基地局は、小セルの基地局が前記特定の信号を送信するようにトリガすることをさらに含む
ことを特徴とする請求項１に記載の小セルの発見方法。
【請求項７】
小セルの発見システムであって、
非アクティブ状態にある小セルが特定の信号を送信するようにトリガし、マクロセルを介して前記特定の信号の配置情報をＵＥに通知することで、前記ＵＥが小セルにより送信された前記特定の信号を受信するようにトリガするように構成される前記マクロセルの基地局と、
受信された前記特定の信号により対応する小セルを識別して確定し、確定された小セルの情報を前記基地局に報告するように構成されるＵＥと、を備え、
ここで、
前記マクロセルの基地局は、少なくとも１つのＵＥが小セルを配置する必要があると確定した場合のみにおいて、小セルをアクティブにして、前記特定の信号の送信をトリガし、
非アクティブ状態にある小セルは、トリガされる前に前記特定の信号を送信せず、トリガされた後いつも前記特定の信号を送信し、
前記ＵＥは前記基地局によりトリガされる前に、前記特定の信号を受信せず、
前記基地局は、前記ＵＥが前記特定の信号を受信するようにトリガした後、前記基地局は、前記ＵＥが受信された前記特定の信号により発見し確定して報告する小セルの情報を受信し、前記ＵＥにより確定される小セルから一部または全部の小セルを選んで、前記ＵＥのためにサービングしようとする小セルとして配置し、前記サービングしようとする小セルが測定信号を前記ＵＥに送信するようにトリガし、かつ前記基地局は、前記ＵＥにより報告された、前記サービングしようとする小セルに対する測定結果を受信し、前記測定結果により前記サービングしようとする小セルから前記ＵＥのためにサービングする小セルを選んで、前記ＵＥのためにサービングする小セルとしてアクティブにし、
前記特定の信号は、小セルを識別するためであり、かつ前記特定の信号は、
発見シグナリング、
チャネル状態情報基準信号（ＣＳＩ−ＲＳ）、
プライマリ同期信号（ＰＳＳ）及び/またはセカンダリ同期信号（ＳＳＳ）、
セル基準信号（ＣＲＳ）のうちの１つであり、
前記発見シグナリングは、小セルを識別するための情報であり、ＰＳＳ／ＳＳＳ／ＣＲＳまたはＣＳＩ−ＲＳを発見シグナリングとする
ことを特徴とする小セルの発見システム。
【請求項８】
前記ＵＥは、前記特定の信号の配置情報を受信するように構成され、当該特定の信号がＣＳＩ−ＲＳを含む場合、前記特定の信号の配置情報はＣＳＩ−ＲＳの配置関連情報及びＣＳＩ−ＲＳの物理層シーケンスの数値を含む
ことを特徴とする請求項７に記載の小セルの発見システム。
【請求項９】
前記基地局は、専用無線リソース制御（ＲＲＣ）シグナリングまたは放送メッセージを送信することにより、前記ＵＥが前記特定の信号を受信することをトリガするように構成される
ことを特徴とする請求項７に記載の小セルの発見システム。
【請求項１０】
前記ＵＥは、受信された前記特定の信号により前記特定の信号に対応する小セルを識別して確定し、かつ確定された小セルにおけるチャネル品質が所定の要求を満たす小セルを前記基地局に報告するように構成される
ことを特徴とする請求項７に記載の小セルの発見システム。
【発明の詳細な説明】
【技術分野】
【０００１】
本発明は移動通信分野に関し、特に、小セルの発見方法及び装置に関する。
【背景技術】
【０００２】
移動通信産業の発展及び移動データサービスに対する需要の高まりにより、移動通信の速度とサービス品質（Ｑｏｓ）に対するユーザの要求がますます厳しくなってきているので、第三世代移動通信（３Ｇ）がまだビジネスで大規模で使用される前に、すでに次世代の移動通信システムに対する研究開発が始まっている。典型的なものとしては第三世代パートナーシッププロジェクト（３ＧＰＰ）よりスタートされる長期発展（ＬＴＥ：Ｌｏｎｇ Ｔｅｒｍ Ｅｖｏｌｕｔｉｏｎ）プロジェクトであり、ＬＴＥシステムが提供可能な最高のスペクトル帯域幅は２０ＭＨｚ（メガヘルツ）である。ネットワークの更なる進化に伴い、発展型ＬＴＥ（ＬＴＥ−Ａ）は、ＬＴＥの発展型システムとして、最大１００ＭＨｚのスペクトル帯域幅を提供することができ、より柔軟な、高品質の通信をサポートすることができるとともに、良い後方互換性を持っている。ＬＴＥ−Ａシステムにおいて、複数のコンポーネントキャリア（ＣＣ：Ｃｏｍｐｏｎｅｎｔ Ｃａｒｒｉｅｒ）を有し、１つのＬＴＥ端末はある１つの後方互換性のＣＣにしか作動することができず、能力高いＬＴＥ−Ａ端末は複数のＣＣに同時に伝送を行うことができ、即ち、ＬＴＥ−Ａの端末が複数のコンポーネントキャリアにデータを同時に伝送して受信することを実現し、それによって、帯域幅を増やす目的を実現する。当該技術はマルチキャリアアグリゲーション技術と称される。
【０００３】
従来のＬＴＥにおいて、一部のホットスポット領域内のユーザ端末（ＵＥ）の通信をより良く解決し、スペクトル効率を向上するために、小セル（ｓｍａｌｌ ｃｅｌｌ）が導入されており、小セルの特徴としてはカバー範囲が小さく（半径が数十メートル）、送信パワーが低いが、デプロイメントの密度が高い。小セルはマクロセル（ｍａｃｒｏ ｃｅｌｌ）に対して言うものであり、一般的に、マクロセルはカバー範囲がより大きく（半径が５００メートル以上）、送信パワーが高く、マクロセルは小セルと同一の周波数を使用してもよいし、異なる周波数を使用してもよい。異なる周波数を使用する場合、マクロセルは一般的により低いバンドを使用して、より大きいカバー範囲を提供し、小セルは一般的により高いバンドを使用して、高速のデータサービスを提供する。図１に示すように、図１は典型的なマクロセルと小セルのカバレッジを示す図であり、マクロセルは多数の小セルをカバーし、かつ、各小セルが異なるバンドを使用し、マクロセルは周波数ポイントｆ１を使用し、小セルは周波数ポイントｆ２を使用する。もちろん、キャリアアグリゲーションの場合に、マクロセルは複数の周波数ポイントを使用することができ、小セルも複数の周波数ポイントを使用することができ、かつ、マクロセルと小セルは周波数ポイントが重複せず、例えば、キャリアのプロパティーによって、マクロセルは一般的に２ＧＨｚ以下の周波数ポイントを使用し、小セルは一般的に３Ｇｈｚ以上の周波数ポイントを使用する。
【０００４】
小セルのカバー範囲が小さくて数が多く、かつマクロセルと異なる周波数ポイントを使用する場合が多いので、小セルが配置されているシステムにおいて、ＵＥは頻繁的に異なる周波数の測定を行う必要があり、それによってＵＥに対して下記の影響が与えられる。
１、ＵＥの消費電力が増加する。
２、異なる周波数の測定を行う場合、多数のＵＥは元の周波数におけるデータ伝送を中断しなければならないので、マクロセルのデータを端末に伝送することに影響する。
【０００５】
それで、多数の小セルが存在するシステムにおいて、端末の省エネルギーに役立つために、小セルの測定に対する最適化を考慮する必要がある。
【０００６】
また、現段階の研究において、マルチキャリアアグリゲーション技術上において、ＬＴＥ Ｒ１１段階でのスペクトルリソースの利用率、ネットワーク省エネルギー、及びセルの間の干渉に対する抑制について、新しい要求が出されている。この目的を実現するために、キャリアアグリゲーション技術の助けを借りて応用される新キャリア（ｎｅｗ ｃａｒｒｉｅｒ ｔｙｐｅ）が提案されている。新キャリアの主な特徴として、設計の際、後方互換性を考慮する必要がなく、より多くの新しい技術を応用することができる。例えば、現在のＬＴＥ Ｒ１１において、新キャリアは、少なくとも１つの交換性キャリアと対をなして応用される必要があるものと定義され、新キャリアにおいて、隣接するセルによるセルエッジでの深刻なＣＲＳ干渉を回避するように、特に、異種ネットワーク（ＨｅｔＮｅｔ）場合でマクロセルと小セルの間のＣＲＳ干渉を回避するように、ＬＴＥ Ｒ８のセル基準信号（ＣＲＳ：Ｃｅｌｌ-ｓｐｅｃｉｆｉｃ Ｒｅｆｅｒｅｎｃｅ Ｓｉｇｎａｌｓ）を配置しない。
【０００７】
小セルにおけるキャリアはすべて新キャリアタイプに配置され、小セルの省電力に効果的に役立ち、例えば、ＵＥにサービングしていない場合に小セルを閉じることができ、それによってネットワーク側の省エネルギーに役立つことができる。しかし、閉じられた小セルが如何に小セルを配置することが必要なＵＥにより発見されるか、如何にＵＥに配置されるか、かつ小セルの数が多いため如何に適当な小セルをＵＥのために選ぶかについて、従来技術において、上記問題を解決する技術スキームはまだ提案されていない。
【発明の概要】
【発明が解決しようとする課題】
【０００８】
上記事情に鑑みて、本発明の実施例の主な目的は、少なくともマクロセルにおけるＵＥが当該マクロセルにおける小セルを発見するという問題を解決して、ネットワーク側とＵＥにおける省エネルギーを実現する、小セルの発見方法及び装置を提供することにある。
【課題を解決するための手段】
【０００９】
上記目的を実現するために、本発明の実施例の技術スキームは以下のように実現される。
【００１０】
小セルの発見方法であって、マクロセルの基地局は、非アクティブ状態にある小セルが特定の信号を送信するようにトリガし、ＵＥが前記小セルにより送信された前記特定の信号を受信するようにトリガする。
【００１１】
好ましくは、前記基地局は、シグナリングを介して前記小セルの基地局に通知することで、前記小セルをトリガする。
【００１２】
好ましくは、前記基地局はＵＥが特定の信号を受信するようにトリガした後、当該方法において、前記基地局は、前記ＵＥが、受信された特定の信号により発見し確定して報告する小セルの情報を受信することと、前記基地局は、前記ＵＥより確定される小セルから一部または全部の小セルを選んで、前記ＵＥのサービングしようとする小セルとして配置することと、がさらに含まれる。
【００１３】
好ましくは、前記基地局は、ＵＥより確定される小セルから一部または全部の小セルを選んで、前記ＵＥのサービングしようとする小セルとして配置した後、当該方法において、前記基地局は、前記サービングしようとする小セルの測定信号を送信するようにことをトリガし、かつ前記基地局は、前記ＵＥより報告された、前記サービングしようとする小セルに対する測定結果を受信し、前記測定結果により前記サービングしようとする小セルから前記ＵＥのためにサービングする小セルを選んで、前記ＵＥのためにサービングする小セルをアクティブにすること、がさらに含まれる。
【００１４】
好ましくは、基地局は小セルのロード状況、チャネル品質、ＵＥのキャリアアグリゲーション能力により、前記サービングしようとする小セルから前記ＵＥのためにサービングする小セルを選ぶ。
【００１５】
好ましくは、前記特定の信号は、
発見シグナリング、
チャネル状態情報基準信号（ＣＳＩ−ＲＳ）、
プライマリ同期信号（ＰＳＳ）及び/またはセカンダリ同期信号（ＳＳＳ）、
同期的にトラッキングされる基準信号、及び、
セル基準信号（ＣＲＳ）
の内の１つである。
【００１６】
好ましくは、前記基地局がマクロセルを介して前記特定の信号を前記ＵＥに通知され、または前記基地局はマクロセルを介して前記特定の信号の数値範囲または検出範囲をＵＥに通知する。
【００１７】
好ましくは、前記小セルにおけるキャリアのうち、一部のキャリアまたは全部のキャリアは新キャリアタイプである。
【００１８】
好ましくは、前記小セルが、アイドル状態にあるＵＥの滞在をサポートしない。
【００１９】
好ましくは、前記小セルにおいてＵＥのためにデータを伝送しない場合、前記小セルは非アクティブ状態にあり、前記特定の信号が送信されておらず、前記小セルにおいてＵＥのためにデータを伝送する場合、前記小セルはアクティブ状態にあり、前記特定の信号が送信される。
【００２０】
好ましくは、前記基地局は少なくとも１つのＵＥが小セルを配置する必要があると確定した場合だけで、小セルをアクティブして、特定の信号の送信をトリガし、かつ非アクティブ状態にある小セルの特定の信号は送信されない。
【００２１】
好ましくは、前記基地局は、専用無線リソース制御（ＲＲＣ）シグナリングまたは放送メッセージを送信することにより、ＵＥが特定の信号を受信するようにトリガする。
【００２２】
好ましくは、前記ＵＥは基地局よりトリガされる前に、特定の信号を受信しない。
【００２３】
好ましくは、前記ＵＥが確定して基地局に報告する小セルはチャネル品質が要求を満たす小セルである。
【００２４】
好ましくは、前記基地局は小セルのロード状況、チャネル品質、ＵＥのキャリアアグリゲーション能力により、ＵＥより確定される小セルから一部または全部の小セルを選んで、前記ＵＥのサービングしようとする小セルとして配置する。
【００２５】
好ましくは、前記測定信号はＣＳＩ−ＲＳまたはセル基準信号（ＣＲＳ）である。
【００２６】
好ましくは、小セルにおいてＵＥのためにデータを伝送しない場合または小セルがサービングしようとする小セルとして配置されない場合、サービングしようとする小セルの測定信号が送信されておらず、小セルにおいてＵＥのためにデータを伝送する場合または小セルがサービングしようとする小セルとして配置される場合、サービングしようとする小セルの測定信号が送信される。
【００２７】
好ましくは、前記方法において、小セルがＵＥのサービングしようとする小セルとして配置されなかったと確定する場合、当該小セルを識別するための特定の信号をもはや送信しないことをさらに含む。
【００２８】
マクロセルの基地局に適用される小セルの発見装置は、
ユーザ端末（ＵＥ）が特定の信号を受信するようにトリガし、前記特定の信号は小セルを識別するためであるように配置されるトリガモジュールを備える。
【００２９】
好ましくは、前記トリガモジュールがシグナリングを介して小セルの基地局が前記特定の信号を送信するように通知する。
【００３０】
好ましくは、当該装置は、前記ＵＥが受信された特定の信号により発見し確定して報告する小セルの情報を受信するように配置される情報受信モジュールと、
ＵＥより確定される小セルから一部または全部の小セルを選んで、前記ＵＥのサービングしようとする小セルとして配置するように配置される配置モジュールと、
をさらに備える。
【００３１】
好ましくは、前記装置は、前記サービングしようとする小セルの測定信号を前記ＵＥに送信するようにトリガし、前記ＵＥが報告される、前記サービングしようとする小セルに対する測定結果を受信し、前記測定結果により前記サービングしようとする小セルから前記ＵＥのためにサービングする小セルを選んで、前記ＵＥのためにサービングする小セルをアクティブにするように配置されるアクティベーションモジュールをさらに備える。
【００３２】
好ましくは、前記アクティベーションモジュールはさらに、小セルのロード状況、チャネル品質、ＵＥのキャリアアグリゲーション能力により、前記サービングしようとする小セルから前記ＵＥのためにサービングする小セルを選ぶように配置される。
【００３３】
好ましくは、前記トリガモジュールはさらに、専用無線リソース制御（ＲＲＣ）シグナリングまたは放送メッセージを送信することにより、ＵＥが特定の信号を受信することをトリガするように配置される。
【００３４】
好ましくは、前記配置モジュールはさらに、小セルのロード状況、チャネル品質、ＵＥのキャリアアグリゲーション能力により、前記ＵＥより確定される小セルから一部または全部の小セルを選んで、前記ＵＥのサービングしようとする小セルとして配置するように配置される。
【００３５】
小セルネットワークエレメントは、
小セルが非アクティブ状態にある場合、マクロセルの基地局が特定の信号を送信する通知を受信し、前記特定の信号は非アクティブ状態にある小セルを識別するためであるように配置されるトリガ受けモジュールと、
マクロセルの基地局の通知を受信した後、特定の信号をマクロセル内のユーザ端末に送信するように配置される特定信号送信モジュールと、
を備える。
【００３６】
好ましくは、前記小セルネットワークエレメントは、前記小セルが前記ＵＥのサービングしようとする小セルとして前記基地局より選ばれる場合、前記基地局によるトリガで、前記ＵＥにサービングしようとする小セルの測定信号を送信するように配置される測定信号送信モジュールをさらに備える。
【００３７】
好ましくは、前記小セルネットワークエレメントは、前記ＵＥのためにサービングする小セルとして前記基地局より選ばれる場合、前記基地局よりアクティブにされた後に前記ＵＥにサービスを提供するように配置されるＵＥサービスモジュールをさらに備える。
【００３８】
好ましくは、小セルが、アイドル状態にあるＵＥの滞在をサポートしない。
【００３９】
好ましくは、前記小セルネットワークエレメントがＵＥのためにデータを伝送しない場合、非アクティブ状態にあり、前記特定の信号を送信しておらず、前記小セルにおいてデータを伝送するＵＥがある場合、前記小セルネットワークエレメントはアクティブ状態にあり、前記特定の信号を送信する。
【００４０】
好ましくは、小セルネットワークエレメントがＵＥのためにデータを伝送しない場合または小セルがサービングしようとする小セルとして配置されない場合、小セルネットワークエレメントがサービングしようとする小セルの測定信号を送信しておらず、小セルネットワークエレメントがＵＥのためにデータを伝送する場合または小セルがサービングしようとする小セルとして配置される場合、小セルネットワークエレメントがサービングしようとする小セルの測定信号を送信する。
【００４１】
ユーザ端末ＵＥは、
マクロセルの基地局のトリガによって特定の信号を受信し、前記特定の信号は前記マクロセルの配下の小セルを識別するためであるように配置される特定信号受信モジュールと、
受信される特定の信号により小セルの情報を発見して確定し、前記基地局に報告するように配置される小セル報告モジュールと、
を備える。
【００４２】
好ましくは、前記ＵＥはさらに、前記基地局による選ばれたサービングしようとする小セルの測定信号を受信し、前記サービングしようとする小セルに対する測定結果を前記基地局に報告するように配置される測定モジュールを備える。
【００４３】
好ましくは、前記基地局よりトリガされる前に、前記特定信号受信モジュールは前記特定の信号を受信しない。
【００４４】
好ましくは、前記小セル報告モジュールが確定して前記基地局に報告する小セルはチャネル品質が要求を満たす小セルである。
【００４５】
本発明の実施例に提供される小セルの発見方法及び装置は、無線通信システムの異種ネットワークにおけるマクロセルでのＵＥが、マクロセルでの小セルを発見することができ、かつネットワーク側がＵＥに適当な小セルを選んでサービスを提供することを実現し、かつ本発明の構造によればネットワーク側とＵＥはいずれも効果的に省エネルギーを確実に実現することができる。
【図面の簡単な説明】
【００４６】
【図１】従来技術においてマクロセルと小セルのカバレッジを示す図である。
【図２】本発明の実施例に係る小セルの発見方法を示すフローチャートである。
【発明を実施するための形態】
【００４７】
以下、実施例を図面に関連付けて、本発明の技術スキームについてさらに詳しく説明する。
【００４８】
図２に示すように、本発明の実施例による小セルの発見方法は、主に下記のステップを含む。
【００４９】
ステップ２０１〜２０２：マクロセルの基地局は、非アクティブ状態にある小セルが特定の信号を送信するようにトリガし、ＵＥが前記小セルにより送信された前記特定の信号を受信するようにトリガする。ここで、トリガとしてはシグナリングを送信することで通知しまたは特殊な信号で通知し、例えば基地局がパルス信号を送信する。実質的に、マクロセルの基地局、小セルの基地局は１つの基地局であり、ここで異機種ネットワークを背景として説明する。非アクティブ状態の小セルとは、ＵＥにサービスを提供していない小セルである。
【００５０】
また、当該ステップについて、基地局は、特定の信号の送信をトリガし、基地局はＵＥが特定の信号を受信するようにトリガすることを纏めることができる。前記基地局は前記小セルを管理することができ、例えば前記ｓｍａｌｌ ｃｅｌｌは前記ｍａｃｒｏ ｃｅｌｌに従属される。２つのマイクロ基地局または２つの小セルであってもよい。前記基地局がシグナリングを介して特定の信号を送信するように小セルの基地局に通知することにより、特定の信号の送信をトリガする。
【００５１】
マクロセルの基地局（即ち、図２に示すｅＮＢ）は必要に応じて配下の小セルを識別するための特定の信号の送信をトリガし、ＵＥが特定の信号を受信するようにトリガする。
【００５２】
前記基地局がマクロセルを介して前記特定の信号を前記ＵＥに通知し、または前記基地局はマクロセルを介して前記特定の信号の数値範囲または検出範囲をＵＥに通知する。
【００５３】
前記基地局は少なくとも１つのＵＥが小セルを配置する必要があると確定した場合のみにおいて、小セルをアクティブして、特定の信号の送信をトリガし、かつ非アクティブ状態にある小セルの特定の信号は送信されない。
【００５４】
前記基地局は専用無線リソース制御（ＲＲＣ）シグナリングまたは放送メッセージを送信することにより、ＵＥが特定の信号を受信するようにトリガする。
【００５５】
前記ＵＥは基地局によりトリガされる前に、特定の信号を受信しない。
【００５６】
ステップ２０３：基地局は前記ＵＥが、受信される特定の信号により発見し確定して報告する小セルの情報を受信する。
【００５７】
また、当該ステップは、基地局は、前記ＵＥが、受信された特定の信号により確定したレポート情報を受信すると表記することができる。当該ステップは選択可能なステップとすることができ、例えば、ステップ２０１〜２０２の後、基地局は、ステップ２０３の情報を、小セルを確定するためのみの参照情報とする。
【００５８】
ＵＥは、受信された特定の信号により、対応する小セルを識別して確定し、確定された小セルの情報を基地局に報告し、ＵＥが確定して基地局に報告する小セルは、チャネル品質が要求を満たす小セルである。例えば、ＵＥは、測定結果における最良のＭ個のセルのＩＤを報告し、または測定結果における最良のＭ個のセルのインデックス及び測定強度を報告する。異なる周波数のキャリアで測定を行う場合、対応の周波数ポイント情報をさらに報告する必要がある。
【００５９】
ステップ２０４：基地局は、ＵＥより確定される小セルから一部または全部の小セルを選んで、前記ＵＥのサービングしようとする小セルとして配置する。ここで、サービングしようとする小セルとは、当該小セルをＵＥに配置し、しかし、小セルが最終にＵＥのためにデータを伝送し、サービングするかどうかまださらに確定する必要がある。
【００６０】
また、当該ステップは、前記基地局が前記ＵＥより報告される情報により、前記ＵＥのサービスセルを配置すると表記することができる。当該ステップは選択可能なステップとすることができ、例えば、基地局はＵＥより報告される小セル情報をただ参照してＵＥにサービングする小セルを配置し、極端な状況（例えば、ＵＥより報告される小セルはいずれもロードが多い場合）において、基地局がＵＥに配置する小セルはＵＥより報告されていない小セルから選ぶことを許可する。
【００６１】
基地局が、ＵＥより報告される小セルから一部または全部の小セルを選んで、ＵＥのサービングしようとする小セルとして配置し、それによって、基地局がＵＥに小セルを配置する過程を完成する。
【００６２】
前記基地局は、小セルのロード状況、チャネル品質、ＵＥのキャリアアグリゲーション能力により、ＵＥより確定される小セルから一部または全部の小セルを選んで、前記ＵＥのサービングしようとする小セルとして配置する。
【００６３】
小セルがＵＥのサービングしようとする小セルとして配置されていなかったことを確定する場合、当該小セルを識別するための特定の信号をもはや送信しないことをさらに含む。選択可能に、ステップ２０３の後、ステップ２０３ａをさらに含み、基地局は、ＵＥのサービングしようとする小セルとして配置されていない小セルを識別するための特定の信号の送信を停止することを通知する。
【００６４】
より好ましくは、ステップ２０４の後はさらにステップ２０５〜２０７を含み、基地局は、前記サービングしようとする小セルの測定信号を前記ＵＥに送信するようにトリガし、かつ前記基地局は、前記ＵＥにより報告された、前記サービングしようとする小セルに対する測定結果を受信し、前記測定結果により前記サービングしようとする小セルから前記ＵＥのためにサービングする小セルを選んで、前記ＵＥのためにサービングする小セルをアクティブにする。
【００６５】
基地局は、小セルのロード状況、チャネル品質、ＵＥのキャリアアグリゲーション能力により、前記サービングしようとする小セルから前記ＵＥのためにサービングする小セルを選ぶ。
【００６６】
小セルがサービングしようとする小セルとして配置される前に、小セルの測定信号は送信されない。
【００６７】
小セルにおいてＵＥのためにデータを伝送しない場合または小セルがサービングしようとする小セルとして配置されない場合、サービングしようとする小セルの測定信号が送信されないが、小セルにおいてＵＥのためにデータを伝送する場合または小セルがサービングしようとする小セルとして配置される場合、サービングしようとする小セルの測定信号が送信される。
【００６８】
なお、図２に示すプロセスにおいて、破線の矢印に対応するステップは選択可能なステップであることに留意すべきである。
【００６９】
上記プロセスにおいて、基地局とＵＥに対して少し処理して、それによって、基地局とＵＥはいずれも省エネルギーを実現することができることになる。本発明の実施例によれば、小セルのキャリアのうちの一部または全部が新キャリアタイプである場合、好ましくは、小セルはいかなるＵＥにも配置されていないまたは小セルにおいてＵＥのためにデータを伝送しない場合、小セルに対するいかなる情報（特定の信号と測定信号を含む）も送信せず、小セルは非アクティブ状態（小セルが閉じて、省エネルギー状態を維持する）にあり、または、基地局が、小セルに対する特定の信号の送信をトリガしない前に、小セルは非アクティブ状態にある。基地局は、必要がある場合だけ、当該小セルと関連する信号（例えば、特定の信号）を送信するようにトリガし、それによって、ネットワーク側の省エネルギーを確実に実現する。小セルはアイドル状態にあるＵＥの滞在を提供せず、この場合、アイドル状態にあるＵＥはマクロセルに滞在する必要がある。アクティブにされた小セル（少なくとも１つのＵＥに当該小セルを配置し、または、小セルがＵＥのためにデータを伝送している）について、いつも特定の信号が送信され、それによってＵＥがアクティブにされた小セルを発見することに有利である。
【００７０】
アイドル状態にあるＵＥは、小セルの特定の信号または測定信号などを受信しない。それによってアイドル状態にあるＵＥは小セルの発見と測定を実行する必要がない。それによって、省エネルギーを実現する。アイドル状態にあるＵＥは接続状態になった後、基地局は必要に応じて（例えば小セルロード、チャネル品質、ＵＥのキャリアアグリゲーション能力など）、ＵＥが特定の信号を受信するようにトリガする。
【００７１】
本発明の実施例に係る特定の信号とは、小セルを識別可能な信号であり、ＵＥはこのような特定の信号を受信しまたは検出することにより、当該小セルを識別して確定することができる。本発明の実施例における特定の信号は、発見シグナリング、チャネル状態情報基準信号（ＣＳＩ−ＲＳ）、プライマリ同期信号（ＰＳＳ：Ｐｒｉｍａｒｙ ｓｙｎｃｈｒｏｎｉｚａｔｉｏｎ ｓｉｇｎａｌ）及び/またはセカンダリ同期信号（ＳＳＳ：Ｓｅｃｏｎｄａｒｙ ｓｙｎｃｈｒｏｎｉｚａｔｉｏｎ ｓｉｇｎａｌ）、同期的にトラッキングされる基準信号、セル基準信号（ＣＲＳ）のうちの１つを含むがこれに限られない。
【００７２】
ここで、発見シグナリングは小セルを識別するための情報であり、物理層で送信され、従来のＰＳＳ/ＳＳＳ/ＣＲＳ、またはＰＲＳ（位置決め基準信号）あるいはＣＳＩ−ＲＳを発見シグナリングとするとも考えられる。ＣＳＩ−ＲＳシーケンスは小セルの識別子（ＩＤ）より演算されるので、ＵＥはＣＳＩ−ＲＳを検出すること、逆計算して対応の小セルＩＤが得られる。ＰＳＳとＳＳＳは小セルＩＤをキャリーするためのものである。ＣＲＳおよびＣＳＩ−ＲＳと同じように、同期的にトラッキングされる基準信号については、ＵＥが同期的にトラッキングされる基準信号またはＣＲＳを検出すると、逆計算して対応の小セルＩＤが得られる。
【００７３】
基地局は特定の信号を、マクロセルを介してＵＥに通知することができ、それによってＵＥが直接に受信することを実行し、特定の信号をブラインド検出する過程を回避し、または、基地局は、特定の信号のシーケンス数値範囲または検出範囲を、ＵＥに通知する。それによってＵＥのシーケンス確定量を減らすことに役立つ。例えば、ＵＥに特定の信号の配置情報（例えば、ＣＳＩ−ＲＳの配置関連情報は、ＣＳＩ−ＲＳ−Ｃｏｎｆｉｇ、ＣＳＩ−ＲＳ-ＣｏｎｆｉｇＮＺＰ、ＣＳＩ−ＲＳ-ＣｏｎｆｉｇＮＺＰＩｄ、ＣＳＩ−ＲＳ-ＣｏｎｆｉｇＺＰ及びＣＳＩ−ＲＳ-ＣｏｎｆｉｇＺＰＩｄにおける１つまたは複数の無線リソース制御情報ユニット、及びＣＳＩ−ＲＳの物理層シーケンスの数値または潜在可能な数値の集合を含む）を通知することができる。
【００７４】
基地局は非アクティブ状態にある（閉じた）特定の信号を送信することをトリガする前に、基地局は、少なくとも１つのＵＥのために小セルを配置する必要があることを確定すべきであり、そうでない場合は、前記アクティブにされていない小セルは閉じた状態を保持する。具体的な実施において、基地局からのトリガ情報を受信していないことに対応する非アクティブ状態にある小セルの特定の信号を送信しない。実際に、小セルはいつも閉じた非アクティブな状態を保持し、それによってネットワーク側の省エネルギーに有益である。しかし、少なくとも１つのＵＥにサービスを提供している、またはすでにＵＥに配置される小セルでは、特定の信号を送信する必要があり、それによって、適当なＵＥによりタイムリーに発見され、かつそのＵＥのためにサービスを提供する。
【００７５】
基地局は、ロードバランシング、信号の品質、スケジューリングの需要などにより、ＵＥに小セルを配置する必要があることを確定する場合、基地局は、マクロセル配下の非アクティブ状態にある小セルを識別するための特定の信号を送信することをトリガし、特定の信号を受信することをＵＥに通知する。基地局は専用無線リソース制御（ＲＲＣ）シグナリングを採用してＵＥに通知してもよいし、放送メッセージを採用して特定の信号を受信することをＵＥに通知してもよい。ＵＥは、特定の信号を受信することをトリガする、基地局からの通知を受信する前に、ＵＥは特定の信号を受信しない。ＵＥがアイドル状態にある場合、ＵＥは特定の信号を受信しない。小セルに対する特定の信号を受信するとトリガされる場合、ＵＥは受信される特定の信号から、特定の信号に対応する小セルを識別して確定し、確定された小セルのうち、チャネル品質が所定の要求を満たす小セルを基地局に報告する必要がある。基地局は、ＵＥより報告される小セルから、小セルのロード状況、チャネル品質、ＵＥのキャリアアグリゲーション能力などにより、ＵＥのためにその一部または全部の小セルを選んで配置する。基地局は、ＵＥに配置されていない小セルを再度閉じて、省エネルギー状態を維持させる。
【００７６】
基地局はＵＥのために小セル（ＵＥのサービングしようとする小セル）を配置した後、基地局はサービングしようとする小セルの測定信号を送信するようにトリガし、それによって、ＵＥは基地局より配置される小セルに対して測定を行う。測定信号はＣＳＩ−ＲＳ、ＣＲＳを含むが、このことには限られない。基地局は、ＵＥに配置される小セルの測定信号の送信をトリガする前に、当該小セルに対する測定信号を送信しない。このことも、ネットワークの省エネルギーを実現するためである。小セルにおいてＵＥのためにデータを伝送しない場合、または小セルがＵＥに配置されていない場合、小セルに対する測定信号を送信しておらず、小セルにおいてＵＥのためにデータを伝送する場合または小セルがＵＥのサービングしようとする小セルとして配置される場合、小セルに対する測定信号を送信する。
【００７７】
ＵＥは、基地局より配置されるサービングしようとする小セルに対する測定結果を基地局に報告する必要があり、基地局は測定結果により、ＵＥのために、所定の要求を満たす小セルをアクティブにしてサービスを提供させ、主に小セルのロード状況、チャネル品質及びＵＥのキャリアアグリゲーション能力を参照してアクティブにする小セルを確定する。
【００７８】
小セルがＵＥにサービスする過程は、配置とアクティベーションとの２つの過程に分けられている。即ち、基地局は先に小セルをＵＥに配置し、小セルを配置する過程でＵＥが小セルを発見することを解決する必要があって、それによって、ＵＥにとってどの小セルが適当な小セルであるかを確定し、基地局よりＵＥに配置される小セル（即ち、サービングしようとする小セル）は、必ずしも基地局よりアクティブにされてＵＥにサービスを提供する必要はない。
【００７９】
本発明の実施例において、小セルに対する特定の信号は基地局よりトリガされて送信され、かつ、小セルはアイドル状態にあるＵＥの滞在をサポートしないので、小セルがＵＥにサービングされない場合、小セルに対する特定の信号を送信しなくてもよい。それによって、省エネルギーを実現することができる。ＵＥについては、アイドル状態にあるＵＥは小セルに対する特定の信号を受信せず、滞在際にマクロセルを選んで滞在し、それによってアイドル状態にあるＵＥは小セル測定を頻繁に実行することを回避し、それによって、ＵＥが省エネルギーを実現する。即ち、アイドル状態にあるＵＥは、小セルが存在しないモードで作動することができる。
【００８０】
以下、具体的な実施例で説明する。
【００８１】
本発明の実施例１
異なる周波数の異種ネットワークにおいて、マクロセル及びその配下の小セルのカバレッジは図１に示すようである。本発明の方法によれば、ネットワークをデプロイ（ｄｅｐｌｏｙ）する場合、マクロセルのキャリアのうち、少なくとも１つのキャリアは交換性キャリアタイプを採用し、より大きいカバー範囲を提供し、マクロセル配下の小セルのキャリアは新キャリアタイプを採用し、ホットスポット領域にデプロイされて、ユーザに改善されたデータ体験を提供する。
【００８２】
マクロセルは、いつも開いたアクティブな状態に保持する必要がある。
【００８３】
マクロセル配下の小セルは、相応する特定の信号の送信が前記マクロセルよりトリガされるまでに非アクティブ状態（即ち、エアインタフェースが情報を送受信せず、閉じた状態）に保持する。マクロセル配下の小セルは、ＵＥにサービングしている（基地局よりアクティブにされて、ＵＥにサービスを提供することを指す）またはＵＥの小セルとして基地局より配置される（即ち、特定の信号の送信が基地局よりトリガされるが、小セルはＵＥのサービングセルとしてアクティブにされていないことを指す）と、このような小セルに対して特定の信号を送信し続ける必要がある。
【００８４】
ＵＥは、マクロセルの基地局より、小セルに対する特定の信号を受信するとトリガされるまでに、アイドル状態にあるＵＥは小セルに対する特定の信号を受信しない。ＵＥは特定の信号を受信することにより、受信された特定の信号から小セルを識別、発見して確定し、確定された小セルの情報をマクロセルの基地局に報告し、マクロセルの基地局はＵＥより報告される小セルから、小セルのロード状況、チャネル品質及びＵＥのサボート可能なキャリアアグリゲーション能力により、適当な小セルを選んでＵＥに配置する。
【００８５】
マクロセルの基地局は、ＵＥのために配置された小セルを測定するためのサービングしようとする小セルの測定信号を送信するようにトリガするとともに、ＵＥに配置されていない小セルを閉じることを通知する。ＵＥは配置された小セルに対して測定を実行し、測定結果をマクロセルの基地局に報告し、マクロセルの基地局は測定結果により、小セルのロード状況及びＵＥのキャリアアグリゲーション能力を考慮して、ＵＥにサービングする小セルをアクティブにする。
【００８６】
本発明の実施例２
異なる周波数の異種ネットワークにおいて、マクロセル及びその配下の小セルのカバレッジは図１に示すようである。小セルのキャリアタイプが交換性キャリアタイプにデプロイされる場合に、本発明の実施形態を適用することができる。
【００８７】
本実施例において小セルは、滞在をサポートせず、滞在することが必要なＵＥは、マクロセルに滞在することを選ぶ。それによって本実施例において、実施例１におけるモードを採用してマクロセルと小セルの発見と配置過程を実現してもよい。ネットワーク側、ＵＥ側の省エネルギーを同様に確実に実現することができる。
【００８８】
本発明の実施例３
異なる周波数の異種ネットワークにおいて、マクロセル及びその配下の小セルのカバレッジは図１に示すようである。小セルのキャリアタイプが交換性キャリアタイプにデプロイされる場合にも、本発明の実施形態を適用することができる。
【００８９】
本実施例において、小セルは滞在をサポートし、滞在することが必要なＵＥは、適当な小セルを選んで滞在することができる。本実施例は下記のモードで実現される。
【００９０】
マクロセルは、いつも開いたアクティブな状態に保持する必要がある。
【００９１】
マクロセル配下の小セルにおいて、小セルがＵＥに配置されまたはアクティブにされるかどうかに関わらず、いつも特定の信号を送信する。アイドル状態にあるＵＥもまた特定の信号を受信する必要があり、特定の信号によって近傍の小セルをタイムリーに見分けて確定し、かつＵＥは確定された小セルをリアルタイムに更新して保存する。前記特定の信号がＵＥの測定実行をサポートすることができる場合、ＵＥは直接的に特定の信号により測定を実行して、滞在条件を満たす小セルを選んで滞在する。特定の信号がＵＥの測定実行をサポートしない場合、ＵＥは小セルにおける測定用の基準信号（例えばＣＲＳ）を用いて測定を実行し、測定結果により適当な小セルを選んで滞在する。
【００９２】
基地局はＵＥのために小セルを配置する必要がある場合、例えば、接続状態にあるＵＥに対して、マクロセルはＵＥが小セルに対する特定の信号を受信することをトリガして小セルを確認し、ＵＥは発見される小セルをマクロセルに報告し（ＵＥは、保存され更新される、自己近傍に位置する小セルを報告し、実際に、ＵＥはリアルタイムに特定の信号を受信する）、マクロセルは適当な小セルを選んでＵＥに配置し、ＵＥは配置される小セルに対して測定を実行し、測定結果を報告し、マクロセルはＵＥのために適当な小セルを選んでアクティブにさせる。
【００９３】
本発明の実施例４
異なる周波数の異種ネットワークにおいて、マクロセル及びその配下小セルのカバレッジは図１に示すようである。本発明の方法によれば、ネットワークをデプロイする場合、マクロセルのキャリアのうち、少なくとも１つのキャリアは交換性キャリアタイプを採用し、より大きいカバー範囲を提供し、マクロセル配下の小セルのキャリアは新キャリアタイプを採用し、ホットスポット領域にデプロイされて、ユーザに改善されたデータ体験を提供する。
【００９４】
マクロセルは、いつも開いた状態に保持する必要がある。
【００９５】
マクロセル配下の小セルにおいて、小セルがＵＥに配置されまたはアクティブされるかどうかに関わらず、いつも特定の信号を送信する。アイドル状態にあるＵＥも特定の信号を受信する必要があり、特定の信号によって近傍の小セルをタイムリーに見分けて確定し、小セルの測定のために用意する。これによって、接続状態にあるＵＥは発見される近傍の小セルを測定すればよい。即ち、発見される小セルの周波数ポイントのみに測定を実行する。
【００９６】
マクロセルの基地局より、小セルに対する特定の信号を受信するとトリガされるまでに、アイドル状態にあるＵＥは小セルに対する特定の信号を受信しない。ＵＥは特定の信号を受信することにより、受信される特定の信号から小セルを識別、発見して確定し、確定される小セルの情報をマクロセルの基地局に報告し、マクロセルの基地局はＵＥより報告される小セルから、小セルのロード状況、チャネル品質及びＵＥがサポート可能なキャリアアグリゲーション能力により、適当な小セルを選んでＵＥに配置する。
【００９７】
マクロセルの基地局は、ＵＥのために配置された小セルを測定するためのサービングしようとする小セルの測定信号を送信するようにトリガするとともに、閉じることを、ＵＥに配置されていない小セルに通知する。ＵＥは、配置される小セルに対して測定を実行し、測定結果をマクロセルの基地局に報告し、マクロセルの基地局は測定結果により、小セルのロード状況及びＵＥのキャリアアグリゲーション能力を考慮して、ＵＥにサービングする小セルをアクティブにする。
【００９８】
小セルの発見方法に係る実施例に従って、本発明によるさらに小セルの発見装置に係る実施例が提供され、マクロセルの基地局に適用される当該装置は、
ユーザ端末（ＵＥ）が特定の信号を受信するようにトリガし、前記特定の信号は小セルを識別するためであるように配置されるトリガモジュールを備え、
ここで、前記トリガモジュールがシグナリングを介して小セルの基地局が前記特定の信号を送信するように通知する。
【００９９】
好ましくは、当該装置は、前記ＵＥが受信された特定の信号により発見し確定して報告する小セルの情報を受信するように配置される情報受信モジュールと、
ＵＥより確定される小セルから一部または全部の小セルを選んで、前記ＵＥのサービングしようとする小セルとして配置するように配置される配置モジュールと、
をさらに備える。
【０１００】
より好ましくは、当該装置は、前記サービングしようとする小セルの測定信号を前記ＵＥに送信するようにトリガし、前記ＵＥが報告される、前記サービングしようとする小セルに対する測定結果を受信し、前記測定結果により前記サービングしようとする小セルから前記ＵＥのためにサービングする小セルを選んで、前記ＵＥのためにサービングする小セルをアクティブにするように配置されるアクティベーションモジュールをさらに備える。
【０１０１】
より好ましくは、前記アクティベーションモジュールはさらに、小セルのロード状況、チャネル品質、ＵＥのキャリアアグリゲーション能力により、前記サービングしようとする小セルから前記ＵＥのためにサービングする小セルを選ぶように配置される。
【０１０２】
より好ましくは、前記トリガモジュールはさらに、専用ＲＲＣシグナリングまたは放送メッセージを送信することにより、ＵＥが特定の信号を送信することをトリガするように配置される。
【０１０３】
より好ましくは、前記配置モジュールはさらに、小セルのロード状況、チャネル品質、ＵＥのキャリアアグリゲーション能力により、ＵＥより確定される小セルから一部または全部の小セルを選んで、前記ＵＥのサービングしようとする小セルとして配置するように配置される。
【０１０４】
小セルネットワークエレメントであって、
小セルが非アクティブ状態にある場合、マクロセルの基地局が特定の信号を送信する通知を受信し、前記特定の信号は非アクティブ状態にある小セルを識別するためであるように配置されるトリガ受けモジュールと、
マクロセルの基地局の通知を受信した後、特定の信号をマクロセル内のＵＥに送信するように配置される特定信号送信モジュールと、
を備える。
【０１０５】
より好ましくは、当該ネットワークエレメントは、前記小セルがＵＥのサービングしようとする小セルとして基地局より選ばれる場合、前記基地局によるトリガで、前記ＵＥにサービングしようとする小セルの測定信号を送信するように配置される測定信号送信モジュールを、さらに備える。
【０１０６】
より好ましくは、当該ネットワークエレメントは、前記ＵＥのためにサービングする小セルとして基地局より選ばれる場合、前記基地局よりアクティブにされた後に前記ＵＥにサービスを提供するように配置されるＵＥサービスモジュールをさらに備える。
【０１０７】
小セルが、アイドル状態にあるＵＥの滞在をサポートしない。
【０１０８】
前記小セルネットワークエレメントがＵＥのためにデータを伝送しない場合、非アクティブ状態にあり、前記特定の信号を送信しておらず、前記小セルにおいてデータを伝送するＵＥがある場合、前記小セルネットワークエレメントはアクティブ状態にあり、前記特定の信号を送信する。
【０１０９】
小セルネットワークエレメントがＵＥのためにデータを伝送しない場合または小セルがサービングしようとする小セルとして配置されない場合、小セルネットワークエレメントがサービングしようとする小セルの測定信号を送信しておらず、小セルネットワークエレメントがＵＥのためにデータを伝送する場合または小セルがサービングしようとする小セルとして配置される場合、小セルネットワークエレメントがサービングしようとする小セルの測定信号を送信する。
【０１１０】
ＵＥであって、
マクロセルの基地局のトリガによって特定の信号を受信し、前記特定の信号は前記マクロセルの配下の小セルを識別するためであるように配置される特定信号受信モジュールと、
受信される特定の信号により小セルの情報を発見し確定し、前記基地局に報告するように配置される特定信号受信モジュールと、
を備える。
【０１１１】
より好ましくは、当該ＵＥはさらに、前記基地局による選ばれたサービングしようとする小セルの測定信号を受信し、前記サービングしようとする小セルに対する測定結果を前記基地局に報告するように配置される測定モジュールを備える。
【０１１２】
基地局よりトリガされる前に、前記特定信号受信モジュールは前記特定の信号を受信しない。
【０１１３】
前記小セル報告モジュールが確定して基地局に報告する小セルは、チャネル品質要求を満たす小セルである。
【０１１４】
上記実施の形態は、本発明の好適な実施の形態に過ぎず、本発明を限定するものではない。
【図１】
0006364410.tif 000002
【図２】
0006364410.tif 000003